(57)【要約】      （修正有）【課題】比較的安価なフライス盤を使用しながら精密に製造可能かつ美観的に上質な義歯を可能にする歯科補綴部材を提供する。【解決手段】いずれも樹脂ベースの肉色の材料１４と歯色の材料１２から形成された単一あるいは複数部材型の義歯未加工材から製造される歯科補綴部材である。未加工材１０の歯色の材料が５ｃｍ超の直径、あるいは幅を有する実質的に平型の円筒形状からなる。両材料間の境界面１６が歯列弓の延在方向に見て波形に交互に存在する溝２２とリブ２４を有してなるとともに前歯の歯列弓領域においては前庭方向に見て放射形状に形成される。さらに歯色の材料と肉色の材料の間の境界面が、遠心側から近心側に向かって歯列弓の延在にわたって見て、波形として肉色の材料に向かって上昇する。歯色の材料は、前歯領域３２内に比べて臼歯領域３０内においてより大きな歯肉−咬合側方向の高さを有する。【選択図】図１
2020011064.tif 000002
【特許請求の範囲】
【請求項１】
特にいずれも樹脂ベースの肉色の材料（１４）と歯色の材料（１２）から形成された単一あるいは複数部材型の義歯未加工材から製造されるものであって、前記肉色の材料と反対側の歯色の材料の面上に咬合面を延在させ、前記の両材料（１２，１４）が接着、重合、射出成形および／または一体形成によって相互に結合され、その際両材料間の境界面（１６）が歯列弓の延在方向に見て波形に交互に存在してそれぞれ谷と山を形成する溝（２２）とリブ（２４）を有してなるとともに前歯の歯列弓領域においては口腔−前庭方向に見て放射形状に形成される歯科補綴部材であり、歯色の材料（１２）と肉色の材料（１４）の間の境界面（１６）が、遠心側から近心側に向かって歯列弓の延在にわたって見て、１５°あるいはそれ以上、特に２０°ないし２５°あるいはそれ以上の平均傾斜角度をもって波形として咬合面に向かって上昇し、また前歯領域（３２）内に比べて臼歯領域（３０）内において歯色の材料（１２）がより大きな歯肉−咬合側方向の高さを有することを特徴とする歯科補綴部材。
【請求項２】
波の山（２４）が歯列弓の延在にわたって稜線（２６）を形成し、それが咬合面に向かっておよび特に歯に隣接する未加工材（１０）の側に向かって傾斜することを特徴とする請求項１記載の歯科補綴部材。
【請求項３】
各山（２４）あるいは少なくとも一部の山（２４）の稜線が前庭側から口腔側の方向に見て下降して、すなわち歯肉の方向に向かって特に１０ないし４０°、好適には１５ないし２５°の角度で延在し、その際全長のうち少なくとも一部範囲にわたって直線、湾曲、あるいはシュペー湾曲に沿って、もしくはそれら全てを含めて延在することを特徴とする請求項１または２記載の歯科補綴部材。
【請求項４】
谷（２２）の幅をいずれも形成すべき歯の幅に適合させ、特に第１臼歯に対応する谷が最大の谷幅を有することを特徴とする請求項１ないし３のいずれかに記載の歯科補綴部材。
【請求項５】
山（２４）と谷（２２）が口腔から前庭方向に延在する造形領域（４０）にわたって同じ形状を有するかまたは少なくとも合同であることを特徴とする請求項１ないし４のいずれかに記載の歯科補綴部材。
【請求項６】
未加工材（１０）の内部に実質的に蹄鉄型、半円形、あるいはＵ字型の造形領域（４０）を設け、その造形領域が歯色の材料と肉色の材料の間の境界面（１６）を備えることを特徴とする請求項１ないし５のいずれかに記載の歯科補綴部材。
【請求項７】
歯色の材料（１２）が請求項６に係る境界面（１６）から咬合面に向かって延在し、また特に肉色の材料が造形領域（４０）の外部で咬合面まで延在することを特徴とする請求項６記載の歯科補綴部材。
【請求項８】
歯色の材料（１２）が請求項６に係る境界面（１６）から咬合面に向かってあるいは場合によって咬合面を超えて延在し、また造形領域（４０）の外部にも延在することを特徴とする請求項６記載の歯科補綴部材。
【請求項９】
境界面（１６）によって形成され歯間空間に相当するものであるリブ（２４）が臼歯領域（３４）内ならびに場合によって小臼歯領域内において口腔−前庭側方向に見て相互に平行に延在することを特徴とする請求項１ないし８のいずれかに記載の歯科補綴部材。
【請求項１０】
境界面（１６）によって形成され歯間空間に相当するものであるリブ（２４）が前歯領域（３２）内において放射状の軌道を形成するために口腔から前庭方向に見て広がることを特徴とする請求項１ないし９のいずれかに記載の歯科補綴部材。
【請求項１１】
未加工材（１０）を円盤型に形成し、および／または円盤軸に対して傾斜した締付け縁部（５０）を備えるようにし、前記の傾斜状態が請求項１に係る境界面の上昇および請求項２に係る稜線（２６）の傾斜を増大させることを特徴とする請求項１ないし１０のいずれかに記載の歯科補綴部材。
【請求項１２】
傾斜角度が１ないし１０°、特に約５°であることを特徴とする請求項１１記載の歯科補綴部材。
【請求項１３】
山（２４）が前庭側から口腔側の方向に見て下降するように傾斜して、すなわち咬合面（６０）に接近するようにして延在し、特に１０ないし４０°、好適には１５ないし２５°の角度で延在することを特徴とする請求項１ないし１２のいずれかに記載の歯科補綴部材。
【請求項１４】
異なった光屈折特性を有する材料、特に屈折率において肉色の材料（１４）および歯色の材料（１２）とは異なったものである材料からなる追加的な層を歯色の材料と肉色の材料の間に配置することを特徴とする請求項１ないし１３のいずれかに記載の歯科補綴部材。
【請求項１５】
未加工材が半径方向外側に向かって突出するリブ（５０）を半径方向外側に備えていて、そのリブが未加工材（１０）の高さにおいて中央に配置されることを特徴とする請求項１ないし１４のいずれかに記載の歯科補綴部材。
【請求項１６】
未加工材（１０）の外周上に半径方向外側に突出する締付けリブを有する締付け縁部（５０）を形成し、前記締付けリブの一面上に第１の位置決め要素、特に非対称に配分された回転防止溝（５２，５４）を有してなる第１の回転防止機構を形成するとともに、前記締付けリブの別の面上に第２の位置決め要素、特に非対称に配分された回転防止平坦部を有してなる第２の回転防止機構（５８，６０）を形成することを特徴とする請求項１ないし１５のいずれかに記載の歯科補綴部材。
【請求項１７】
未加工材（１０）の歯色の材料（１２）が５ｃｍ超の直径あるいは幅を有し、特に２：１超、さらに好適には３：１超の直径／高さ比を有する実質的に平型の円筒形状からなることを特徴とする請求項１ないし１６のいずれかに記載の歯科補綴部材。
【発明の詳細な説明】
【技術分野】
【０００１】
この発明は、請求項１前文に記載の歯科補綴部材に関する。
【背景技術】
【０００２】
歯色の材料と肉色の材料から義歯を作成し、歯色の材料から歯列弓が形成され肉色の材料からは義歯床が形成されるように義歯をフライス削りすることが古くから知られている。
【０００３】
その際一般的に両方の材料についてＰＭＭＡベースの樹脂が使用される。それらの両方の材料は例えば接着あるいは重合によって良好に相互に固着させることができる。
【０００４】
歯色の材料はそのまま完全な歯列弓の形状に仕上げることができ、すなわち個別セルを少なくとも細いブリッジを介して相互に結合しそれによって歯列弓が一体型になるようにすることができる。
【０００５】
義歯床に歯列弓を固定するために一種のＵ字型チャネルを設けてその中に歯列弓を接着することが知られている。所要の歯列弓のサイズに応じてチャネルを異なった位置に設ける必要があった。
【０００６】
その種のチャネルを使用しても美観的にある程度許容できる結果を達成するために、肉色の材料内で歯肉沈着線を懸垂線としてフライス削りする。歯肉沈着線が製造される歯列弓に適合する必要があるため、フライス削りは極めて複雑になる。
【０００７】
その例として特許文献１および特許文献２に開示された解決方式が挙げられる。
【０００８】
それらの相当古い解決方式に基づいて近年ＣＡＤ／ＣＡＭ技術の支援によって歯および義歯床を作成して完成した義歯を提供するための歯および義歯の形成のために有用となる多層式の樹脂成分も提案されている。異なった材料、すなわち一方で肉色の義歯床材料と他方で歯色の歯材料に対する異なった要求のため前記の提案は現在まで普及しておらず、しかも他方では歯ならびに義歯床の両方をＰＭＭＡから製造することが既に周知になっているにも関わらず普及していない。
【０００９】
さらに近年はラピッドプロトタイピング法も提案されており、その目的は歯ならびに義歯床の両方を樹脂材料（あるいは場合によってその他の材料）から製造することである。この技術開発によっても現在までそれほど大きな利点は提供されていない。
【００１０】
他方で長寿化の観点から総義歯あるいは部分義歯の需要が増えているが、ここで明瞭化のために義歯と言う概念が総義歯および部分義歯を包括するものとする。この増加する需要と組み合わされて、急増する消費量のため同様に増加するコスト圧縮要求が存在する。
【００１１】
特許文献３により、材料間の境界面を放射形状に延在する波形として形成することが知られている。その波形がそのまま歯肉縁の懸垂線を形成する。
【００１２】
この方式は必要な歯列弓の大きさにかかわらず常に殆ど自動的に歯肉縁が形成される利点を有し、そのため発生し得る不良が自動的に防止される。
【００１３】
コスト削減圧力からしばしば安価に入手可能なフライス盤によって歯科補綴部材を加工することが求められる。その種のフライス盤は、０．１ｍｍあるいは０．０５ｍｍの繰り返し精度が提示されていたとしても例えば０．５ｍｍの繰り返し精度しか備えていない。加えてその種のフライス盤はしばしば４軸機械でしかなく、従って特に切り下げの形成に際して問題が生じる。
【００１４】
他方、歯が無い前部領域内、すなわち前歯領域内において歯の欠如のために強度の切り下げが必要になる。
【００１５】
加えて周知の解決方式においては極めて長いフライス工具を使用する必要がある。一方で薄くかつ細いフライス工具が持つ柔軟性のため、また他方では場合によってフライス工程中に生じる振動のために、特に前進速度が多様である場合に長いフライス工具は必然的に低い精度を伴う。
【先行技術文献】
【特許文献】
【００１６】
【特許文献１】国際公開第９０／１３２６８号（Ａ１）パンフレット
【特許文献２】国際公開第９１／０７１４１号（Ａ１）パンフレット
【特許文献３】欧州特許出願公開第３０６４１７０号（Ａ１）明細書
【発明の概要】
【発明が解決しようとする課題】
【００１７】
従って本発明の目的は、比較的安価なフライス盤を使用しながら精密に製造可能かつ美観的に上質な義歯を可能にする歯科補綴部材を提供することである。
【課題を解決するための手段】
【００１８】
前記の課題は、本発明に従って請求項１によって解決される。従属請求項によって好適な追加構成が開示される。
【００１９】
本発明によれば、歯色の材料と肉色の材料からなる未加工材を形成し、それが波線状に形成された境界面を有するようにする。前記波線は歯肉縁に類似した懸垂線状に形成することができ、歯列弓全体にわたって存在するようにする。
【００２０】
本発明によれば少なくとも前歯領域において波線が放射状になり、従って放射中心を起点にしていずれも放射方向に延在する波の谷と波の山、すなわち溝とリブが形成される。
【００２１】
本発明に従って境界面が独特な方式で形成される。境界面は１５°以上の平均傾斜角度をもって波線に従った波状で上昇し、その際歯色の材料が遠心側において中央よりも大きな高さを有する。
【００２２】
すなわち境界面は後の咬合面に対して波形状で傾斜する。さらに、後部において前部より大きな高さを有する。そのことは歯色の材料に適宜な高さを設定することを意味する。
【００２３】
そのため歯色の材料が遠心側において近心側よりも大きな高さになる。
【００２４】
高さは未加工材内に存在する高さに相関する。その未加工材は実質的に円形の断面を有する平型の円盤とすることができる。個別のケースについて後述するように、未加工材の外面、すなわち外周面は円筒形から顕著に逸脱することができる。
【００２５】
本発明によれば、前部をそれの境界面と共に隣接する未加工材の上面の比較的近くに形成する。それによって特に前歯領域内において比較的短いフライス工具を使用して加工を行うことが可能になる。そのことにより、振動が少なくかつ推進速度に依存せずに精密な仕上げが可能になる。
【００２６】
加えて、未加工材の上面近くにすることによって切り下げをフライス削りすることも可能になり、そのことは特に歯が無い患者の場合、すなわち総義歯の製造に際してしばしば必要になる。
【００２７】
さらに本発明によれば、比較的平坦な義歯を適宜に少ない材料消費をもって製造し得ることが好適である。本発明に係る解決方式によって形成される義歯は、典型的に臼歯領域においてその他の領域に比べて大きな歯高を有する。このことは第１に大きくかつ重量のある臼歯によって強い咀嚼力をより良好に義歯内に分散させることができるため機械的に好適である。他方、臼歯の高さは口を開いた場合でも通常全くあるいは殆ど目立たず、天然の歯列弓が前記のような造形を有することはあり得ないものの特に上顎内において美観的に問題になることはない。
【００２８】
本発明によれば、歯色の材料が臼歯領域内において前歯領域内に比べてより大きな歯肉−咬合方向の高さを有する。前歯領域の高さはかなり小さ目に選定されるが、その際必要とされる最大の前歯でも歯色の材料内に適合するようにされる。
【００２９】
犬歯に向かって、またさらに犬歯を超えて、歯材料の高さがより大きくなる。それによって人間の犬歯がしばしば最も大きな露出した長さを有するという事実を適切に考慮することができ；その領域は本発明に従って上昇する稜線のため既に前歯領域よりも高くなっている。
【００３０】
本発明によれば、境界面の傾斜をより大きくすることによって顕著により多くの割合の患者に提供可能になることが極めて好適である。傾斜を２０ないし２５％にすると従来一般的であった６０％の割合に代わって８０％もの割合になる。
【００３１】
別の利点は、未加工材を従来よりも小さな高さにし得る点である。それは例えば３４ｍｍないし４０ｍｍとすることができる。
【００３２】
歯科用品質においては極めて高価になるＰＭＭＡ材料の必要量を顕著に削減することができ、またより小さな円盤の高さのため完成した義歯が形成されるまでのフライス時間もより短くなる。
【００３３】
本発明は総義歯の形成に限定されることはない。むしろ「義歯」の概念に部分義歯も含まれ、また「歯列弓」の概念には部分歯列弓も含まれるものとする。
【００３４】
歯列弓をＵ字型として表現する場合はその中に部分的なＵ字型も含まれるものとする。
【００３５】
さらに本発明は上顎か下顎に限定されることはなく、むしろ本発明の発想は上顎義歯および下顎義歯のいずれについても具現可能である。
【００３６】
歯色の材料は未加工材中に脚部が広いＵ字あるいは円盤形状の歯列弓形状で形成することができる。第１のケースにおいてＵ字の幅が所要の歯列弓の大きさに従って歯を形成することができる範囲をカバーし、その際その範囲を造形領域と呼称する。
【００３７】
肉色の材料は、その材料が未加工材の円盤形状をその未加工材の下面まで満たすように延在する。
【００３８】
未加工材の円盤形状は斜めに形成することもできる。その場合フライス用未加工材をより平型に形成することができ、その際その傾斜姿勢によって臼歯の領域内の歯色の材料の高さをさらに低減することができる。
【００３９】
この実施形態において未加工材の締付け縁部が未加工材の上面および下面に対して斜めに延在する。この場合本発明に従って設ける境界面の傾斜が締付け縁部によって締付けられる面に相関する。
【００４０】
この実施形態において、締付け縁部に対する未加工材の上面と下面の傾斜はいずれも同締付け縁部に対する境界面の傾斜よりも小さくなる。その傾斜は例えば８°あるいは１０°とし得る。
【００４１】
この実施形態によれば切り下げに対するさらに良好な到達性が得られ、従って９０％までの患者に提供可能になる。
【００４２】
本発明の別の好適な構成形態によれば、締付け縁部の上方ならびに下方の両方に回転防止機構を設ける。
【００４３】
その際特に、未加工材の一面上、例えば白い面もしくは上面上に非対称に配分された溝を有する一般的な回転防止機構を設け、また反対側の面上、すなわち締付け縁部の下側に新たなフライス盤の別のワークピースソケットのための非対称に配分された平坦部を有する回転防止機構を設ける。
【００４４】
好適な構成形態によれば、異なった光屈折特性を有する材料、特に屈折率において肉色の材料および歯色の材料とは異なったものである材料からなる追加的な層を歯色の材料と肉色の材料の間に配置する。
【００４５】
それらの特性は含有された有機および／または無機成分によって提供され、それによって層の透明性あるいは乳白色性の変化が得られる。それらの成分はラジカル重合性で、特に温度開始あるいは光開始するものであることが好適であり、材料と共に熱可塑加工して材料中に埋め込まれる。
【００４６】
それによって、特に有機乳白色材料、好適には光硬化性の乳白色材料からなる乳白色層が材料間の境界面上に形成される。それによって、基礎材料の肉色が明色の歯材料中に混入して自然の外観を阻害することが防止される。場合によって灰色化が見られる歯肉縁が回避され、歯肉色あるいは歯色の材料の彩度に悪影響が与えられないようにされる。
【００４７】
本発明のその他の詳細、特徴、ならびに利点は、添付図面を参照しながら以下に記述する実施例の説明によって理解される。
【図面の簡単な説明】
【００４８】
【図１】本発明に係る義歯用の未加工材の実施形態を概略的に示した断面図である。
【図２】別の実施形態を示した断面図である。
【図３】本発明に係る義歯を製造するための未加工材の別の実施形態を示した立体図である。
【図４】本発明に係る義歯未加工材の別の実施形態を概略的に示した立体図である。
【図５】本発明に係る義歯未加工材のさらに別の実施形態を概略的に示した立体図である。
【図６】本発明に係る義歯未加工材のさらに別の実施形態を概略的に示した立体図である。
【発明を実施するための形態】
【００４９】
歯色の材料１２と肉色の材料１４から形成された未加工材１０が図示されている。これは下顎義歯を形成するように設定される。
【００５０】
未加工材１０は実質的に円盤形状である。図１中に歯色の材料１２と肉色の材料１４の間の境界面１６が示されている。肉色の材料１４内に特殊に形成された窪み１８が設けられる。未加工材１０の上面２０を起点にして材料１２が窪み１８内に向かって延在する。
【００５１】
未加工材１０の歯色の材料１２は５ｃｍ超の直径あるいは幅を有し、また特に２：１超、好適には３：１超の直径／高さ比を有する実質的に平型の円筒形状を有する。
【００５２】
肉色の材料１４と歯色の材料１２は、例えば接着、重合、および／または一体形成によって相互に結合される。
【００５３】
前記の窪みは実質的にＵ字の形状と極めて広い脚部を有し、すなわち歯列弓形状になる。境界面１６はその位置で特殊な方式で形成される。境界面はＵ字の全長にわたって波形を有し、その際歯肉縁に合致し、すなわち実質的に懸垂線に合致する。
【００５４】
波形は波の谷２２と波の山２４を交互に有する。波の谷は同時に溝であり、波の山は同時にリブである。
【００５５】
波の山２４の頂点と波の谷２２の（下方を向いている）頂点がそれぞれ稜線を形成し、その際下方の稜線２６が図２に示されている。
【００５６】
稜線は遠心側３０から近心側３２に向かって上昇して延在する。従って境界面１６は未加工材１０内で斜めに延在し、いわば前側、すなわち前歯領域が後側より高くなる。
【００５７】
このことは境界面１６の平均的な経路に関するものであるが、実際には図示されたように波形に延在する。
【００５８】
ここで境界面１６の傾斜角は平均で１６°である。
【００５９】
前歯あるいは前側領域内で波の山２４と波の谷２２が口腔から前庭方向に見て放射状に延在する。それらの山と谷は放射中心３６から半径方向外側に向かって延在する。
【００６０】
他方、臼歯と小臼歯の領域においては相互に平行に延在する。Ｕ字の脚部間隔、すなわち窪み１８の幅は、歯の造形のために必要なものより顕著に大きくなる。未加工材１０は、中心３６に対して半径方向内側、半径方向中央、あるいは半径方向外側で歯をフライス削りすることによって、小型の歯列弓ならびに大型の歯列弓の両方を形成し得るように設定される。
【００６１】
ここでは上述した欧州特許出願明細書を全体的に引用する。
【００６２】
この場合Ｕ字の全幅が造形を行うための造形領域４０として利用可能である。
【００６３】
図１に示されるように、窪み１８は遠心側領域３０において近心側領域３２内に比べて顕著に深くなっている。それによって中央に比べて遠心側で歯色の材料１２の高さが顕著に大きくなる。この手法によって前歯領域３２が未加工材１０の上面２０に近接し、そこで必要とされる切下げを短時間のフライス削りによって迅速かつ正確に切削することができる。
【００６４】
図１にはさらに、未加工材１０が周回式の締付け縁部５０を有することが示されている。この締付け縁部５０は歯科用円盤型未加工材において一般的な形状を有していて、円盤型の未加工材１０は９５ないし１００ｍｍの直径を有する。
【００６５】
締付け縁部５０の上方に跳ね返るようにして歯色の材料１２が延在する。その位置に溝５２および５４が設けられ、それらは互いに非対称に配置され、すなわち直径方向に対向して配置されず、従って回転防止装置として機能する。
【００６６】
未加工材１０の下面５６には、平坦部５８および６０が追加的に形成される。それらの平坦部は材料１４の領域内に設けられ、同様に相互に非対称とされる。それらは新しいフライス盤内において代替的に回転防止しながら締付け固定するように機能する。
【００６７】
図２によれば、境界面１６が遠心側３０から中央３２に向かって上昇し、この実施形態においては２２°の角度で上昇する。
【００６８】
咬合面は上面２０の幾らか下方に設けられ、例えば１ｍｍ下方に設けられる。
【００６９】
さらに図２によれば境界面１６が直線的かつ一定の角度をもって延在する。それに代えて湾曲したあるいは例えばＳ字型の軌道を形成することも可能である。
【００７０】
図２および図３の実施形態によれば窪み１８の領域、すなわち造形領域４０のみが白、すなわち歯色の材料１２によって填塞される。未加工材１０のその他の部分は肉色の材料１４から形成される。
【００７１】
ここで境界面１６と稜線２６は、締付け縁部５０によって締付けられる面に対して１５°の角度で延在する。
【００７２】
従って削除すべき材料１２および１４によって占められる未加工材の部分が顕著に小さくなる。それが三角形７２および７４によって表現されている。未加工材１０は図２の実施形態に比べて顕著に平型に、すなわち低い高さで形成することができる。
【００７３】
ここで未加工材１０は円形の円盤型に形成されている。それが円盤軸７０とその円盤軸７０に対して傾斜した締付け縁部５０を備え、その傾斜状態によって境界面１６の上昇と稜線２６の傾斜がさらに増加する。
【００７４】
図４により、未加工材１０の別の実施形態が示されている。未加工材のうち歯色の材料１２のみが示されており、その他の部位は例えば図３と同様に延在し形成されるものとする。
【００７５】
図３で下方に示された面には咬合面６０が延在する。従って、図４中に示された歯４１は材料１２中に図示されており、それの咬合側が咬合面６０に向かって指向する。
【００７６】
図１ないし図３の実施形態と異なって図４においては山、すなわちリブ２４が前庭側−口腔側方向において傾斜し、一方例えば図３によれば山は水平、すなわち咬合面と平行に延在する。
【００７７】
リブ２４は口腔側において前庭側より咬合面に近くなる。
【００７８】
咬合面６０とリブ２４の間の角度は必要に応じて広範に調節することができる。例えばその角度を１０ないし２０°とすることができるが、それより大きくすることも可能である。
【００７９】
その角度は個別の歯ごとあるいは歯間空間ごとに異なるようにすることもできる。
【００８０】
山２４が歯間空間に相当し、谷２２は歯に相当する。
【００８１】
図４に示された傾斜は山２４ならびに谷２２の両方に関するものである。
【００８２】
そのように設けた傾斜によって特に歯列弓毎の相違が大きい場合でも良好な適応が可能になることが理解される。
【００８３】
例示的な山２４の傾斜角度が図５で下顎についてまた図６で上顎について示されている。ここで記載された傾斜角度は円盤型に形成された未加工材の法線に対するものである。
【００８４】
図５の下顎について咬合面６０に対する角度は１０°ないし１９°であり、上顎については１５°ないし２３°である。
【００８５】
角度ならびに稜線の経路は歯列弓の全長にわたって必要に応じて広範に調節可能であることが理解される。
【符号の説明】
【００８６】
１０  未加工材
１２  歯色材料
１４  肉色材料
１６  境界面
１８  窪み
２０  上面
２２  谷
２４  山
２６  稜線
３０  遠心側
３２  近心側
３６  放射中心
４０  造形領域
４１  歯
５０  締付け縁部
５２，５４  溝
５６  下面
５８，６０  平坦部
【図１】
2020011064.tif 000003
【図２】
2020011064.tif 000004
【図３】
2020011064.tif 000005
【図４】
2020011064.tif 000006
【図５】
2020011064.tif 000007
【図６】
2020011064.tif 000008